(57)【要約】【課題】壊れ方を好適に制御可能な車体のフレーム構造を提供する。【解決手段】任意の箇所に複数の孔が密に形成された多孔部が設けられ、衝突時に損壊するフロントサイドメンバ１を備える、車体のフレーム構造。【選択図】図１
2020019308.tif 000002
【特許請求の範囲】
【請求項１】
任意の箇所に複数の孔が密に形成された多孔部が設けられ、衝突時に損壊するフレーム部材を備える、車体のフレーム構造。
【請求項２】
前記フレーム部材は、車体前部に配置された車体前後方向に延びる部材であり、
前記多孔部は、前記フレーム部材のうち車体前方側半分内に設けられている、請求項１に記載の車体のフレーム構造。
【請求項３】
前記多孔部は、前記フレーム部材のうち車体の前方から後方へ向かって開口率が小さくなっている、請求項２に記載の車体のフレーム構造。
【請求項４】
車体の前方から後方への前記開口率の減少は、車体の前方から後方へ向かって前記多孔部の孔の配置密度が小さくなることによって達成されている、請求項３に記載の車体のフレーム構造。
【請求項５】
車体の前方から後方への前記開口率の減少は、車体の前方から後方へ向かって前記多孔部の孔の大きさが小さくなることによって達成されている、請求項３に記載の車体のフレーム構造。
【請求項６】
前記フレーム部材は、フロントサイドメンバまたはフロントクラッシュボックスである、請求項２から請求項５のいずれか１項に記載の車体のフレーム構造。
【請求項７】
前記フレーム部材は、車体後部に配置された車体前後方向に延びる部材であり、
前記多孔部は、前記フレーム部材のうち車体後方側半分内に設けられている、請求項１に記載の車体のフレーム構造。
【請求項８】
前記多孔部は、前記フレーム部材のうち車体の後方から前方へ向かって開口率が小さくなっている、請求項７に記載の車体のフレーム構造。
【請求項９】
車体の前方から後方への前記開口率の減少は、車体の後方から前方へ向かって前記多孔部の孔の配置密度が小さくなることによって達成されている、請求項８に記載の車体のフレーム構造。
【請求項１０】
車体の前方から後方への前記開口率の減少は、車体の後方から前方へ向かって前記多孔部の孔の多きさが小さくなることによって達成されている、請求項８に記載の車体のフレーム構造。
【請求項１１】
前記フレーム部材は、リアサイドメンバまたはリアクラッシュボックスである、請求項７から請求項１０のいずれか１項に記載の車体のフレーム構造。
【請求項１２】
前記多孔部の孔を閉じるように貼り付けられた防水フィルムをさらに備える、請求項１から請求項１１のいずれか１項に記載のフレーム構造。
【発明の詳細な説明】
【技術分野】
【０００１】
本発明は、車体のフレーム構造に関する。
【背景技術】
【０００２】
車体のフレーム構造の一例が、特許文献１に開示されている。具体的には、特許文献１では、衝突エネルギーの吸収量を少なくすることなくフロントサイドメンバの前部の板厚を薄くし、フロントサイドメンバを軽量化する構造が開示されている。
【先行技術文献】
【特許文献】
【０００３】
【特許文献１】特開平１０−２４４９５５号公報
【発明の概要】
【発明が解決しようとする課題】
【０００４】
しかし、フロントサイドメンバの板厚の部分的な変更は複雑な加工を要し、加工コストが増加する。また、フロントサイドメンバの壊れ方を好適に制御する構造については詳細な言及もない。従って、特許文献１の構造には、これらの観点から改善の余地がある。
【０００５】
本発明は、壊れ方を好適に制御可能な車体のフレーム構造を提供することを課題とする。
【課題を解決するための手段】
【０００６】
本発明は、任意の箇所に複数の孔が密に形成された多孔部が設けられ、衝突時に損壊するフレーム部材を備える車体のフレーム構造を提供する。
【０００７】
この構成によれば、フレーム部材の多孔部を設けた部位の強度が低下するため、フレームの壊れやすい部分および方向を規定でき、即ち壊れ方を好適に制御できる。壊れ方を制御するために板厚の変更または溶接等によるビードの形成も考えられるが、これらよりも多孔部の形成は簡易である。また、多孔部は、これらと比べて、形成する位置および幅などの調整が容易であり、必要な強度等に応じて好適に壊れ方を制御できる。さらに、多孔部を設けることで軽量化を図ることもできる。また、多孔部を形成することによって、フレーム部材に吸音性能を付与することもできる。当該吸音性能は、エンジン騒音またはタイヤ接地騒音等の様々な騒音を低減することに有効であり得る。吸音周波数は、多孔部の孔の形状、大きさ、および配置密度等を調整することによって適宜設定できる。
【０００８】
前記フレーム部材は、車体前部に配置された車体前後方向に延びる部材であり、前記多孔部は、前記フレーム部材のうち車体前方側半分内に設けられていてもよい。
【０００９】
この構成によれば、車の前方衝突の際にフレーム部材が車体前方側から壊れるようにすることができる。フレーム部材は衝突時に損壊するものであるが、好ましくは車体前後方向に圧壊されることで衝撃エネルギーを吸収するものである。仮に、フレーム部材が車体後方側から壊れると、フレーム部材が圧壊せずに折れるおそれがあり、エネルギー吸収効率が悪化するおそれがある。従って、上記構成によって、車体前方側の強度を後方側の強度よりも低下させ、フレーム部材が折れずに圧壊するようにし、エネルギー吸収効率の悪化を防止する。
【００１０】
前記多孔部は、前記フレーム部材のうち車体の前方から後方へ向かって開口率が小さくなっていてもよい。
【００１１】
この構成によれば、開口率の調整によってフレーム部材のうち車体の前方から後方へ順に強度が高くなるため、フレーム部材を車体の前方から後方へ順に圧壊させることができる。従って、高い衝撃エネルギー吸収性を発揮できる。
【００１２】
車体の前方から後方への前記開口率の減少は、車体の前方から後方へ向かって前記多孔部の孔の配置密度が小さくなることによって達成されていてもよい。
【００１３】
この構成によれば、多孔部の孔の配置密度の調整によって開口率の減少を容易に達成できる。
【００１４】
車体の前方から後方への前記開口率の減少は、車体の前方から後方へ向かって前記多孔部の孔の大きさが小さくなることによって達成されていてもよい。
【００１５】
この構成によれば、多孔部の孔の大きさの調整によって開口率の減少を容易に達成できる。
【００１６】
前記フレーム部材は、フロントサイドメンバまたはフロントクラッシュボックスであってもよい。
【００１７】
この構成によれば、前述の壊れ方の制御および吸音を有効に活用できる。フロントサイドメンバまたはフロントクラッシュボックスは、車の前方衝突の際に高いエネルギー吸収が求められる部材である。従って、これらの部材の壊れ方を多孔部によって好適に制御することによって、高い衝撃エネルギー吸収効率を発揮し得る。また、これらの部材は、騒音を発生させるエンジンやタイヤ付近に配置され得る部材でもあり、これらの部材で騒音を吸音できることは有効である。
【００１８】
前記フレーム部材は、車体後部に配置された車体前後方向に延びる部材であり、
前記多孔部は、前記フレーム部材のうち車体後方側半分内に設けられていてもよい。
【００１９】
この構成によれば、車の後方衝突の際にフレーム部材が車体後方側から壊れるようにすることができる。フレーム部材は衝突時に損壊するものであるが、好ましくは車体前後方向に圧壊されることで衝撃エネルギーを吸収するものである。仮に、フレーム部材が車体前方側から壊れると、フレーム部材が圧壊せずに折れるおそれがあり、エネルギー吸収効率が悪化するおそれがある。従って、上記構成によって、車体後方側の強度を前方側の強度よりも低下させ、フレーム部材が折れずに圧壊するようにし、エネルギー吸収効率の悪化を防止する。
【００２０】
前記多孔部は、前記フレーム部材のうち車体の後方から前方へ向かって開口率が小さくなっていてもよい。
【００２１】
この構成によれば、開口率の調整によってフレーム部材のうち車体の後方から前方へ順に強度が高くなるため、フレーム部材を車体の後方から前方へ順に圧壊させることができる。従って、高い衝撃エネルギー吸収性を発揮できる。
【００２２】
車体の前方から後方への前記開口率の減少は、車体の後方から前方へ向かって前記多孔部の孔の配置密度が小さくなることによって達成されていてもよい。
【００２３】
この構成によれば、多孔部の孔の配置密度の調整によって開口率の減少を容易に達成できる。
【００２４】
車体の前方から後方への前記開口率の減少は、車体の後方から前方へ向かって前記多孔部の孔の大きさが小さくなることによって達成されていてもよい。
【００２５】
この構成によれば、多孔部の孔の大きさの調整によって開口率の減少を容易に達成できる。
【００２６】
前記フレーム部材は、リアサイドメンバまたはリアクラッシュボックスであってもよい。
【００２７】
この構成によれば、前述の壊れ方の制御および吸音を有効に活用できる。リアサイドメンバまたはリアクラッシュボックスは、車の後方衝突の際に高いエネルギー吸収が求められる部材である。従って、これらの部材の壊れ方を多孔部によって好適に制御することによって、高い衝撃エネルギー吸収効率を発揮し得る。また、これらの部材は、騒音を発生させるエンジンやタイヤ付近に配置され得る部材でもあり、これらの部材で騒音を吸音できることは有効である。
【００２８】
前記車体のフレーム構造は、前記多孔部の孔を閉じるように貼り付けられた防水フィルムをさらに備えてもよい。
【００２９】
この構成によれば、防水フィルムによって多孔部の孔内への浸水を防止できる。フレーム部材には、浸水が防止されるべき種類のものがあり、当該部材に対して本構成は有効である。
【発明の効果】
【００３０】
本発明によれば、多孔部を設けることによって壊れ方を好適に制御可能な車体のフレーム構造を提供できる。
【図面の簡単な説明】
【００３１】
【図１】本発明の一実施形態に係る車体前部のフレーム構造の斜視図。
【図２】図１の一部の模式的な平面図。
【図３Ａ】模式的なフロントサイドメンバの断面図。
【図３Ｂ】模式的なフロントサイドメンバの側面図。
【図３Ｃ】模式的なフロントサイドメンバの側面図。
【図４Ａ】第１変形例のフロントサイドメンバの側面図。
【図４Ｂ】第１変形例のフロントサイドメンバの側面図。
【図５】第２変形例のフロントサイドメンバの側面図。
【図６】第３変形例のフロントサイドメンバの側面図。
【図７】第４変形例のフロントサイドメンバの側面図。
【図８】第５変形例のフロントサイドメンバの側面図。
【図９】車体後部のフレーム構造の平面図。
【発明を実施するための形態】
【００３２】
以下、添付図面を参照して本発明の実施形態を説明する。
【００３３】
図１は、一実施形態に係る車体前部のフレーム構造を示している。本実施形態では、当該フレーム構造のうち、本実施形態に特有の構成を有するフロントサイドメンバ（フレーム部材）１について詳細に説明する。
【００３４】
フロントサイドメンバ１は、車体の前後方向に延び、車体前部のフロントバンパービーム２と、車体中央の本体部３とを接続する部材である。フロントサイドメンバ１は、前方衝突時に損壊するフレーム部材であり、高いエネルギー吸収効率が求められる部材である。
【００３５】
図２は、フロントサイドメンバ１を含む模式的な平面図を示している。図３Ａは、図２のIIIA-IIIA線に沿った模式的な断面図を示している。図３Ｂは、図２のフロントサイドメンバ１のIIIB方向からの矢視図を示している。図３Ｃは、図２のフロントサイドメンバ１のIIIC方向からの矢視図を示している。本実施形態では、フロントサイドメンバ１は、相対的に薄い平坦なベースプレート４に、相対的に厚いハット形のハットプレート５が接合されてなる。ベースプレート４は車体の外側に配置され、ハットプレート５は車体の内側に配置される。
【００３６】
本実施形態では、ハットプレート５の頂面５ａの全体に複数の孔６ａが密に形成された多孔部６が設けられている（図３Ｃ参照）。例えば、多孔部６の孔６ａは、等間隔で配置された複数の円形の貫通孔である。孔６ａの大きさ（孔径）は例えば０．１〜１ｍｍ程度であり、頂面５ａに対する多孔部６の開口率は例えば２〜３％程度である。ただし、図示および例示した数値の孔６ａの形状、配置、および大きさ等は特に限定されるものではない。
【００３７】
本実施形態によれば、多孔部６が設けられた頂面５ａは、他の面に比べて強度が低下するため、壊れ易くなる。これにより、ハットプレート５とベースプレート４との板厚差に伴う強度差を低減し、前方衝突の際にフロントサイドメンバ１を圧壊させ易くすることができる。代替的には、設計に応じて車体の内側方向へ向かってフロントサイドメンバ１が壊れやすくしてもよい。いずれにせよ、多孔部６によってフロントサイドメンバ１の壊れ方を好適に制御できる。特に、多孔部６は、形成する位置および幅などの調整が容易であり、必要な強度等に応じて好適に壊れ方を制御できる。さらに、多孔部６を設けることで軽量化を図ることもできる。また、多孔部６によって、フロントサイドメンバ１の近傍に配置されるエンジン（図示せず）の騒音およびタイヤ接地騒音等を吸音できる。吸音周波数は、孔６ａの形状、大きさ、および配置密度等を調整することによって適宜設定でき、例えば上記にて例示した大きさの孔径では５ｋＨｚ程度までの騒音を吸音できる。
【００３８】
（第１変形例）
壊れ方は、多孔部６の設け方によって様々に調整できる。例えば、図４Ａを参照して、ベースプレート４には、車体前後方向における中央部４ａに多孔部６を設けてもよい。換言すれば、車体前後方向における両端部４ｂに孔が形成されていない非多孔部７を設けてもよい。
また、図４Ｂを参照して、ハットプレート５には、車体前後方向における両端部５ｂに多孔部６を設けてもよい。換言すれば、車体前後方向における中央部５ｃに孔が形成されていない非多孔部７を設けてもよい。
【００３９】
本変形例によれば、多方向に壊れ方を制御できる。具体的には、ベースプレート４は中央部４ａにおいて強度が低下し、ハットプレート５は両端部５ｂにおいて強度が低下するため、フロントサイドメンバ１の中央部４ａにおいて車体外側に向かって壊れ、両端部５ｂにおいて車体内側に壊れるようにし、フロントサイドメンバ１を圧壊させ易くすることができる。
【００４０】
（第２変形例）
図５を参照して、多孔部６は、フロントサイドメンバ１のうち車体前方側半分内に設けられてもよい。換言すれば、車体前後方向における少なくとも車体後方側半分には孔が形成されていない非多孔部７を設けてもよい。このように多孔部６を設けることで、フロントサイドメンバ１のうち車体前方側半分が後方側半分よりも壊れ易くなる。
【００４１】
本変形例によれば、車の前方衝突の際にフロントサイドメンバ１が車体前方側から壊れるようにすることができる。フロントサイドメンバ１は衝突時に損壊するものであるが、好ましくは車体前後方向に圧壊されることで衝撃エネルギーを吸収するものである。仮に、フロントサイドメンバ１が車体後方側から壊れると、フロントサイドメンバ１が圧壊せずに折れるおそれがあり、エネルギー吸収効率が悪化するおそれがある。従って、本変形例の構成によって、フロントサイドメンバ１の車体前方側の強度を後方側の強度よりも低下させ、フロントサイドメンバ１が折れずに圧壊するようにし、エネルギー吸収効率の悪化を防止できる。
【００４２】
（第３変形例）
図６を参照して、多孔部６は、フロントサイドメンバ１のうち車体前方から後方へ向かって開口率が小さくされていてもよい。本変形例では、各孔６ａの径は同じであり、孔６ａの数が車体前方から後方へ向かって徐々に少なくなっている。
【００４３】
この構成によれば、開口率の調整によってフロントサイドメンバ１のうち車体の前方から後方へ順に強度が高くなるため、フロントサイドメンバ１を車体の前方から後方へ順に圧壊させることができる。従って、高い衝撃エネルギー吸収性を発揮できる。
【００４４】
（第４変形例）
図７を参照して、多孔部６は、フロントサイドメンバ１のうち車体前方から後方へ向かって開口率が小さくされていてもよい。本変形例では、孔６ａは頂面５ａ全体に均等に配置されているが、孔６ａの大きさが車体前方から後方へ向かって徐々に小さくされている。
【００４５】
本変形例の作用効果は、第３変形例と実質的に同じである。
【００４６】
（第５変形例）
図８を参照して、多孔部６には防水フィルム６ｂを貼り付けてもよい。防水フィルム６ｂは、汎用のものを使用できる。好ましくは、吸音性を考慮し、通音性の高いフィルムを使用する。
【００４７】
本変形例によれば、防水フィルム６ｂによって孔６ａ内への浸水を防止できる。フロントサイドメンバ１には、浸水が防止されるべき種類のものがあり、当該部材に対して本構成は有効である。
【００４８】
以上より、本発明の具体的な実施形態およびその変形例について説明したが、本発明は上記形態に限定されるものではなく、この発明の範囲内で種々変更して実施することができる。例えば、個々の変形例の内容を適宜組み合わせたものを、この発明の一実施形態としてもよい。
【００４９】
本実施形態では、フロントサイドメンバ１について多孔部６を設ける構成について説明したが、多孔部６を設ける対象はフロントサイドメンバ１以外にフロントクラッシュボックス８（図１，２参照）であってもよい。また、図９に示すように、多孔部６を設ける対象は、車体前部に限定されず、車体後部において本体部３とリアバンパービーム１１とをリアサイドメンバ９またはリアクラッシュボックス１０であってもよい。特に、リアサイドメンバ９またはリアクラッシュボックス１０に多孔部６を設ける場合、後方衝突を考慮し、フロントサイドメンバ１またはフロントクラッシュボックス８に多孔部６を設ける場合（図３Ａ〜図７参照）と前後関係が逆になることが好ましい。このとき、前後関係が逆になること以外は、作用効果は実質的に同じとなる。
【符号の説明】
【００５０】
１  フロントサイドメンバ（フレーム部材）
２  フロントバンパービーム
３  本体部
４  ベースプレート
４ａ  中央部
５  ハットプレート
５ａ  頂面
５ｂ  両端部
５ｃ  中央部
６  多孔部
６ａ  孔
７  非多孔部
６ｂ  防水フィルム
８  フロントクラッシュボックス
９  リアサイドメンバ
１０  リアクラッシュボックス
１１  リアバンパービーム
【図１】
2020019308.tif 000003
【図２】
2020019308.tif 000004
【図３Ａ】
2020019308.tif 000005
【図３Ｂ】
2020019308.tif 000006
【図３Ｃ】
2020019308.tif 000007
【図４Ａ】
2020019308.tif 000008
【図４Ｂ】
2020019308.tif 000009
【図５】
2020019308.tif 000010
【図６】
2020019308.tif 000011
【図７】
2020019308.tif 000012
【図８】
2020019308.tif 000013
【図９】
2020019308.tif 000014